(57)【要約】【課題】テレビ受信機におけるウェブコンテンツ閲覧の履歴機能において、以前表示したことのあるコンテンツの表示速度を改善する。【解決手段】インターネットに接続し、かつ録画機器とネットワーク接続されたデジタルテレビ受信機であって、インターネットからウェブコンテンツを取得する取得部と、取得されたウェブコンテンツを表示する表示部と、表示部がウェブコンテンツを表示するたびに、録画機器へウェブコンテンツ画像を送信する送信部と、ウェブコンテンツ画像とインターネットのＵＲＬ情報とを対応付けたＵＲＬ／フレーム対応表を記憶する記憶部と、ザッピングモードになった場合に、ＵＲＬ／フレーム対応表に基づいて、所望のＵＲＬに対応するフレームを録画機器から取得して表示部に表示させる表示制御部と、を具備する。【選択図】図１
2011097213.tif 000002
【特許請求の範囲】
【請求項１】
インターネットに接続し、かつ録画機器とネットワーク接続されたデジタルテレビ受信機であって、
前記インターネットからウェブコンテンツを取得する取得部と、
取得された前記ウェブコンテンツを表示する表示部と、
前記表示部が前記ウェブコンテンツを表示するたびに、前記録画機器へ前記ウェブコンテンツ画像を送信する送信部と、
前記ウェブコンテンツ画像と前記インターネットのＵＲＬ情報とを対応付けたＵＲＬ／フレーム対応表を記憶する記憶部と、
ザッピングモードになった場合に、前記ＵＲＬ／フレーム対応表に基づいて、所望のＵＲＬに対応するフレームを前記録画機器から取得して前記表示部に表示させる表示制御部と、を具備することを特徴とするデジタルテレビ受信機。
【請求項２】
前記ザッピングモードは、複数の粒度を有し、前記表示制御部は、前記粒度毎に前記表示部に表示させるフレーム単位を決定する、ことを特徴とする請求項１に記載のデジタルテレビ受信機。
【発明の詳細な説明】
【技術分野】
【０００１】
本発明は、ネットワーク接続し、ＨＴＭＬ（ＨｙｐｅｒＴｅｘｔ  Ｍａｒｋｕｐ  Ｌａｎｇｕａｇｅ）コンテンツを表示可能なデジタルテレビ受信機に関するものである。
【背景技術】
【０００２】
デジタル化に伴い、テレビ受信機はネット接続機能を持ち、ウェブコンテンツを表示する機能を備えたものが主流となりつつある。
【０００３】
そして、テレビ受信機では、パソコンのように閲覧履歴を保存し、以前表示したコンテンツを再表示する機能が実装されている。
【０００４】
一方、テレビ受信機では、複数チャンネルの切り替えの際に、切り替え先のチャンネルが表示されるまでの時間を短縮させる技術もある（例えば、特許文献１参照）。
【先行技術文献】
【特許文献】
【０００５】
【特許文献１】特開２００８−１５３９４０号公報
【発明の概要】
【発明が解決しようとする課題】
【０００６】
しかしながら、テレビ受信機は、パソコンなどのようにフルキーボードではなく、リモコンなどの限られたボタンでの操作となり、それゆえにユーザーインターフェースにも工夫を凝らす必要があるという問題があった。
【０００７】
また、テレビ受信機の履歴呼び出し機能における、コンテンツ表示を行う場合には、再度、呼び出されたＵＲＬのコンテンツを必要に応じてネットから取得し、レンダリングを行うため、上記特許文献１を応用しただけではすばやい表示はできないという問題があった。
【課題を解決するための手段】
【０００８】
本発明のデジタルテレビ受信機は、あらかじめ、レンダリング済みの画像データをテレビ受信機の内蔵録画装置または、連携対象となる外部録画装置に保存し、履歴検索の際、入力切替し、録画した画像をコマ送りすることにより、ザッピング表示を行い、目的のページが表示されたとき、ユーザ操作により、インターネットから目的のコンテンツを取得しブラウザ表示に戻る。
【発明の効果】
【０００９】
本発明によれば、ウェブコンテンツの表示履歴を高速にザッピングすることが可能となる。
【図面の簡単な説明】
【００１０】
【図１】本発明の実施の形態１にかかる全体構成を示す図
【図２】本発明の実施の形態１にかかるデジタルテレビ受信機の構成を示す図
【図３】本発明の実施の形態１にかかる録画機器上のザッピング用記録領域の構成を示す図
【図４】本発明の実施の形態１にかかる録画機器上のフレームとＵＲＬの対応を示す図
【図５】本発明の実施の形態１にかかるＧＵＩの一例を示す図
【図６】本発明の実施の形態１にかかるザッピングモードの説明図
【発明を実施するための形態】
【００１１】
本発明を実施するための最良の形態を以下に実施の形態１として図を用いて説明する。
【００１２】
（実施の形態１）
図１は、本発明の実施の形態１にかかる全体構成を示す図であって、イーサネット（登録商標）・モデムなどのインターフェース１０３を備え、インターネット網１０２にアクセス可能なデジタルテレビ受信機１０１と、ＨＤＭＩなど制御信号を送受信可能なインターフェース１０５で接続された録画機器１０４により構成される。図１においては、デジタルテレビ受信機１０１の映像出力信号も録画機器の映像入力端子に接続される（１０６）。
【００１３】
本発明の実施の形態１におけるデジタルテレビ受信機１０１は、図２に示すようにアンテナ２０１、チューナー２０２を介してデジタル放送を受信し、復調部２０３、復号部２０４、音声処理部２０４、映像処理部２０６を介して映像を表示する機能または音声を出力する機能のほかに、イーサネット（登録商標）インターフェース２１６などにより、インターネット２１５に接続し、ウェブ上のコンテンツをネットから取得し、レンダリング・表示する機能を有し、表示画像を録画機器１０４に出力する機能を持ち、あわせて、ＨＤＭＩ入力機能を有し、ＨＤＭＩにおけるＣＥＣ機能を利用し、録画機器を制御する機能も兼ね備えている。
【００１４】
ここで、録画機器１０４は、フレーム単位で記録・再生する機能を有し、ＣＥＣ機能を拡張することによりＨＤＭＩ接続されたデジタルテレビ受信機１０１からフレーム単位で記録・再生する機能を制御することができるものとする。
【００１５】
デジタルテレビ受信機１０１は、ウェブ上のコンテンツを表示するたび、ＨＤＭＩ接続された録画機器にその表示画像を、ＣＥＣ拡張機能を利用し、１フレーム毎に画面を記録し、デジタルテレビ受信機１０１内部において、図４に示すように記録フレーム番号４０２とＵＲＬ４０１の対応がつくようにＵＲＬ／フレーム対応表として履歴管理する。
【００１６】
録画機器１０４では、図３に示すように録画機器１０４における画面イメージ記録領域は、ランダムアクセス可能で部分書き換え可能な録画メディア上にあらかじめ有限な領域３０１を用意しておき、リングバッファ的に利用する。３０２は、有限な領域３０１を固定長で分割したものであって、１フレームで使用する領域である。フレームに直接アクセスするため、画像は非圧縮または、固定ビットレート圧縮とする。圧縮記録する場合、通常のＭＰＥＧ圧縮のほか、ＪＰＥＧやＭＰＥＧ−Ｉなどのコーデックが考えられる。
【００１７】
ユーザ操作により、履歴呼び出しを行うとき、デジタルテレビ受信機１０１は入力を録画機器１０４に切り替え、録画機器１０４を制御することにより、録画された、現在アクセス中のコンテンツの画面を表示し、ザッピングモードに入ったことを知らせ（５０３）、リモコン操作を説明するため、たとえば図５のようなユーザーインターフェースを表示する。ここで、リモコンのカーソルキー操作により、更に過去に表示したコンテンツを遡って表示させたり（５０４）、順に送ったり（５０６）というザッピング操作を可能とする。ここで、最新のコンテンツの画像を表示している間は、「進む」ボタン５０６は無効とする。また、記録されている画面の中で最も古い画像を表示している間は「戻る」ボタン５０４は無効とする。
【００１８】
また、ザッピングの粒度についても、ユーザ設定により切り替え可能とし、たとえば、図６のように、スクロールを含め、表示したすべての内容をさかのぼって表示するモード（６０３）、ページ遷移の単位で表示するモード（６０２）、サイト単位で表示するモード（６０１）を設ける。実現方法は、ＵＲＬを都度解析しても良いが、それぞれのモードに応じて図４に示すＵＲＬ／フレーム対応表へのポインタリストを作成する方が、効率が良い。なお、ＵＲＬ／フレーム対応表にフラグを設ける方法でも良い。
【００１９】
上記処理により、過去に表示した画像をザッピングし、目当てのページが見つかったら、そのフレーム番号に対応するＵＲＬにアクセスする。
【００２０】
なお、本構成のほか、録画機器１０４として内蔵ＨＤＤ（インターフェースはＩＤＥやＳＡＴＡ、ＳＣＳＩ、ＩＥＥＥ１３９４などが考えられる）や外付けＨＤＤ（インターフェースはｅＳＡＴＡ、ＵＳＢ、ＳＣＳＩ、イーサネット（登録商標）などが考えられる）を用いて、ＪＰＥＧなどを用いて保存・表示を行うことも考えられる。
【産業上の利用可能性】
【００２１】
インターネット接続可能なデジタルテレビ受信機において、高速にコンテンツをザッピングすることを可能とし、利用者の利便性を向上させる。
【符号の説明】
【００２２】
１０１    デジタルテレビ受信機
１０２    インターネット網
１０３    イーサネット（登録商標）インターフェース、またはモデム
１０４    録画機器
１０５    ＨＤＭＩ接続（録画機器→テレビ受信機）
１０６    モニター出力（テレビ受信機→録画機器）
２０１    アンテナ
２０２    チューナー
２０３    信号復調部
２０４    複号部
２０５    音声処理部
２０６    映像処理部
２０７    提示部
２０８    Ｉ／Ｏ
２０９    ＮＶＲＡＭ
２１０    ＲＯＭ
２１１    ＣＰＵ
２１２    ＲＡＭ
２１３    ＶＲＡＭ
２１４    ＨＤＭＩ処理部
２１５    インターネット網
２１６    イーサネット（登録商標）インターフェース、またはモデム
２１７    閲覧履歴格納部
【図１】
2011097213.tif 000003
【図２】
2011097213.tif 000004
【図３】
2011097213.tif 000005
【図４】
2011097213.tif 000006
【図５】
2011097213.tif 000007
【図６】
2011097213.tif 000008